(57)【要約】  本出願の実施例はデータ処理方法とネットワーク装置を開示する。該方法は、第一のネットワーク装置がデータレートを確定することと、該第一のネットワーク装置が該データレートに基づき、処理待ちデータを安全に処理するか否かを確定することとを含む。本出願の実施例における方法とネットワーク装置は、データ伝送の性能を向上させることに役立つ。
2021503743.tif 000002
【特許請求の範囲】
【請求項１】
データ処理方法であって、
第一のネットワーク装置が、データレートを確定することと、
前記第一のネットワーク装置が、前記データレートに基づき、処理待ちデータを安全に処理するか否かを確定することとを含む、前記データ処理方法。
【請求項２】
前記データレートは、少なくとも一つのサービス品質（ＱｏＳ）における第一のＱｏＳフローのデータレート、少なくとも一つのベアラにおける第一のベアラのデータレート、少なくとも一つのプロトコルデータユニット（ＰＤＵ）セッションにおける第一のＰＤＵセッションのデータレート及び少なくとも一つの端末装置における第一の端末装置のデータレートのうちの少なくとも一つを含むことを特徴とする
請求項１に記載の方法。
【請求項３】
前記第一のネットワーク装置がデータレートを確定することは、
前記第一のネットワーク装置が、第一の期間内でレイヤ２の測定を実行して前記データレートを取得することを含むことを特徴とする
請求項１又は２に記載の方法。
【請求項４】
前記レイヤ２は、サービスデータ適応プロトコル（ＳＤＡＰ）レイヤー、パケットデータコンバージェンスプロトコル（ＰＤＣＰ）レイヤー又は無線リンク制御（ＲＬＣ）レイヤーを含むことを特徴とする
請求項３に記載の方法。
【請求項５】
前記第一のネットワーク装置がデータレートを確定することは、
前記第一のアクセスネットワーク装置が、第一の期間内の伝送ブロックのサイズに基づき、前記データレートを確定することを含むことを特徴とする
請求項１又は２に記載の方法。
【請求項６】
前記第一の期間は、前記第一のネットワーク装置に予め設定され、前記第一のネットワーク装置以外のネットワーク装置によって提供され、前記第一のネットワーク装置によって配置され又は運用保守装置によって配置されることを特徴とする
請求項３−５のいずれか一項に記載の方法。
【請求項７】
前記第一のネットワーク装置がデータレートを確定することは、
前記第一のネットワーク装置が、第二のネットワーク装置から提供されたＱｏＳパラメータに基づき、前記データレートを確定することを含むことを特徴とする
請求項１又は２に記載の方法。
【請求項８】
前記データレートが少なくとも一つのベアラにおける第一のベアラのデータレートを含む場合、前記第一のネットワーク装置が第二のネットワーク装置から提供されたＱｏＳパラメータに基づき、前記データレートを確定することは、
前記第一のネットワーク装置が、前記第二のネットワーク装置から提供された、前記第一のベアラとマッピングする複数のＱｏＳフローのパラメータの和を前記データレートとして確定することを含むことを特徴とする
請求項７に記載の方法。
【請求項９】
前記データレートが少なくとも一つのプロトコルデータユニット（ＰＤＵ）セッションにおける第一のＰＤＵセッションのデータレートを含む場合、前記第一のネットワーク装置が第二のネットワーク装置から提供されたＱｏＳパラメータに基づき、前記データレートを確定することは、
前記第一のネットワーク装置が前記第二のネットワーク装置から提供された、前記第一のＰＤＵセッションとマッピングする複数のＱｏＳフローのパラメータの和を前記データレートとして確定することを含むことを特徴とする
請求項７に記載の方法。
【請求項１０】
前記データレートが少なくとも一つの端末装置における第一の端末装置のデータレートを含む場合、前記第一のネットワーク装置が第二のネットワーク装置から提供されたＱｏＳパラメータに基づき、前記データレートを確定することは、
前記第一のネットワーク装置が前記第二のネットワーク装置から提供された、前記第一の端末装置とマッピングする複数のＱｏＳフローのパラメータの和を前記データレートとして確定することを含むことを特徴とする
請求項７に記載の方法。
【請求項１１】
前記複数のＱｏＳフローは、前記処理待ちデータを安全に処理することを確定するのに利用可能なデータフローであることを特徴とする
請求項８−１０のいずれか一項に記載の方法。
【請求項１２】
前記方法はさらに、
前記第二のネットワーク装置がＱｏＳフロー、ベアラ又はＰＤＵセッションのうちの少なくとも一つの確立を行う場合、前記第二のネットワーク装置がシステム内又はシステム間ハンドオーバのいずれか一つを行う場合のいずれかの場合、前記第一のネットワーク装置が、前記ＱｏＳパラメータを受信することを含むことを特徴とする
請求項７−１１のいずれか一項に記載の方法。
【請求項１３】
前記第一のネットワーク装置が前記ＱｏＳパラメータを受信する前に、前記方法はさらに、
前記第一のネットワーク装置が、前記第二のネットワーク装置へ前記ＱｏＳパラメータの取得リクエストを送信することを含むことを特徴とする
請求項１２に記載の方法。
【請求項１４】
前記ＱｏＳパラメータの取得リクエストは、前記第一のネットワーク装置が必要とする前記ＱｏＳパラメータのタイプを示すための情報、及び前記第一のネットワークが確定しようとするデータレートのタイプを示すための情報を含むことを特徴とする
請求項１３に記載の方法。
【請求項１５】
前記ＱｏＳパラメータの取得リクエストは、さらに前記ＱｏＳパラメータの送信方式を示すための情報を含み、前記送信方式が１回のみ送信又は周期的送信を含むことを特徴とする
請求項１４に記載の方法。
【請求項１６】
前記ＱｏＳパラメータのタイプは最大ビットレート（ＭＢＲ）、最大フロービットレート（ＭＦＢＲ）と保証フロービットレート（ＧＦＢＲ）を含むことを特徴とする
請求項７−１５のいずれか一項に記載の方法。
【請求項１７】
前記第一のネットワーク装置は第一のアクセスネットワーク装置であり、前記第二のネットワーク装置は第二のアクセスネットワーク装置又はコアネットワーク装置であることを特徴とする
請求項７−１６のいずれか一項に記載の方法。
【請求項１８】
前記方法はさらに、
前記第一のネットワーク装置が、端末装置から送信された前記データレートを受信することを含むことを特徴とする
請求項１又は２に記載の方法。
【請求項１９】
前記方法はさらに、
前記第一のネットワーク装置が前記処理待ちデータを安全に処理することを確定した場合、前記第一のネットワーク装置が、前記処理待ちデータに対して完全性保護処理及び／又は暗号化処理を行うことを含むことを特徴とする
請求項１−１８のいずれか一項に記載の方法。
【請求項２０】
データ処理方法であって、
第二のネットワーク装置が、第一のネットワーク装置へサービス品質（ＱｏＳ）パラメータを送信し、前記ＱｏＳパラメータが、前記第一のネットワーク装置が処理待ちデータを安全に処理するか否かを確定することに用いられることを含む、前記データ処理方法。
【請求項２１】
前記方法はさらに、
前記第二のネットワーク装置が、前記第一のネットワーク装置へ前記ＱｏＳパラメータを送信するか否かを確定することを含み、
前記第二のネットワーク装置が第一のネットワーク装置へサービス品質（ＱｏＳ）パラメータを送信することは、
前記第二のネットワーク装置が前記第一のネットワーク装置へ前記ＱｏＳパラメータを送信することを確定した場合、前記第二のネットワーク装置が、前記第一のネットワーク装置へ前記ＱｏＳパラメータを送信することを含むことを特徴とする
請求項２０に記載の方法。
【請求項２２】
前記方法はさらに、
前記第二のネットワーク装置が、前記第二のネットワーク装置に前記ＱｏＳパラメータが記憶されているか否かを確定することを含み、
前記第二のネットワーク装置が前記第一のネットワーク装置へ前記ＱｏＳパラメータを送信するか否かを確定することは、
前記第二のネットワーク装置が前記第二のネットワーク装置に前記ＱｏＳパラメータが記憶されていることを確定した場合、前記第二のネットワーク装置が、前記第一のネットワーク装置へ前記ＱｏＳパラメータを送信することを確定することを含むことを特徴とする
請求項２１に記載の方法。
【請求項２３】
前記第二のネットワーク装置が前記第一のネットワーク装置へ前記ＱｏＳパラメータを送信するか否かを確定することは、
前記第二のネットワーク装置が、ローカルポリシーに従って、前記第一のネットワーク装置へ前記ＱｏＳパラメータを送信するか否かを確定することを含むことを特徴とする
請求項２１に記載の方法。
【請求項２４】
前記第二のネットワーク装置が前記第一のネットワーク装置へ前記ＱｏＳパラメータを送信するか否かを確定することは、
前記第二のネットワーク装置が、端末装置のサブスクリプション属性に従って、前記第一のネットワーク装置へ前記ＱｏＳパラメータを送信するか否かを確定することを含むことを特徴とする
請求項２１に記載の方法。
【請求項２５】
前記第二のネットワーク装置が第一のネットワーク装置へサービス品質（ＱｏＳ）パラメータを送信することは、
前記第二のネットワーク装置がＱｏＳフロー、ベアラ又はＰＤＵセッションのうちの少なくとも一つの確立を行う場合、前記第二のネットワーク装置がシステム内又はシステム間ハンドオーバのいずれか一つを行う場合のいずれかの場合、前記第二のネットワーク装置が前記第一のネットワーク装置へ前記ＱｏＳパラメータを送信することを含むことを特徴とする
請求項２０に記載の方法。
【請求項２６】
前記第二のネットワーク装置が前記第一のネットワーク装置へ前記ＱｏＳパラメータを送信する前に、前記方法はさらに、
前記第二のネットワーク装置が、前記第一のネットワーク装置から送信された前記ＱｏＳパラメータの取得リクエストを受信することを含むことを特徴とする
請求項２０−２５のいずれ一項に記載の方法。
【請求項２７】
前記ＱｏＳパラメータの取得リクエストは、前記第一のネットワーク装置が必要とする前記ＱｏＳパラメータのタイプ、及び前記第一のネットワークが確定しようとするデータレートのタイプを含むことを特徴とする
請求項２６に記載の方法。
【請求項２８】
前記ＱｏＳパラメータの取得リクエストは、さらに前記ＱｏＳパラメータの送信方式を示すための情報を含み、前記送信方式が１回のみ送信又は周期的送信を含むことを特徴とする
請求項２７に記載の方法。
【請求項２９】
前記ＱｏＳパラメータのタイプは最大ビットレート（ＭＢＲ）、最大フロービットレート（ＭＦＢＲ）と保証フロービットレートを含むことを特徴とする
請求項２０−２８のいずれか一項に記載の方法。
【請求項３０】
前記第一のネットワーク装置は第一のアクセスネットワーク装置であり、前記第二のネットワーク装置は第二のアクセスネットワーク装置又はコアネットワーク装置であることを特徴とする
請求項２０−２９のいずれか一項に記載の方法。
【請求項３１】
ネットワーク装置であって、前記ネットワーク装置は第一のネットワーク装置であり、前記ネットワーク装置は、
データレートを確定するように構成される第一の確定ユニットと、
前記データレートに基づき、処理待ちデータを安全に処理するか否かを確定するように構成される第二の確定ユニットとを備える、前記ネットワーク装置。
【請求項３２】
前記データレートは、少なくとも一つのサービス品質（ＱｏＳ）における第一のＱｏＳフローのデータレート、少なくとも一つのベアラにおける第一のベアラのデータレート、少なくとも一つのプロトコルデータユニット（ＰＤＵ）セッションにおける第一のＰＤＵセッションのデータレート及び少なくとも一つの端末装置における第一の端末装置のデータレートのうちの少なくとも一つを含むことを特徴とする
請求項３１に記載のネットワーク装置。
【請求項３３】
前記第一の確定ユニットは具体的に、
第一の期間内でレイヤ２の測定を実行して前記データレートを取得するように構成されることを特徴とする
請求項３１又は３２に記載のネットワーク装置。
【請求項３４】
前記レイヤ２は、サービスデータ適応プロトコル（ＳＤＡＰ）レイヤー、パケットデータコンバージェンスプロトコル（ＰＤＣＰ）レイヤー又は無線リンク制御（ＲＬＣ）レイヤーを含むことを特徴とする
請求項３３に記載のネットワーク装置。
【請求項３５】
前記第一の確定ユニットは具体的に、第一の期間内の伝送ブロックのサイズに基づき、前記データレートを確定するように構成されることを特徴とする
請求項３１又は３２に記載のネットワーク装置。
【請求項３６】
前記第一の期間は前記第一のネットワーク装置に予め設定され、前記第一のネットワーク装置以外のネットワーク装置によって提供され、前記第一のネットワーク装置によって配置され又は運用保守装置によって配置されることを特徴とする
請求項３３−３５のいずれか一項に記載のネットワーク装置。
【請求項３７】
前記第一の確定ユニットは具体的に、
第二のネットワーク装置から提供されたＱｏＳパラメータに基づき、前記データレートを確定するように構成されることを特徴とする
請求項３１又は３２に記載のネットワーク装置。
【請求項３８】
前記データレートが少なくとも一つのベアラにおける第一のベアラのデータレートを含む場合、前記第一の確定ユニットは具体的に、
前記第二のネットワーク装置から提供された、前記第一のベアラとマッピングする複数のＱｏＳフローのパラメータの和を前記データレートとして確定するように構成されることを特徴とする
請求項３７に記載のネットワーク装置。
【請求項３９】
前記データレートが少なくとも一つのプロトコルデータユニット（ＰＤＵ）セッションにおける第一のＰＤＵセッションのデータレートを含む場合、前記第一の確定ユニットは具体的に、
前記第二のネットワーク装置から提供された、前記第一のＰＤＵセッションとマッピングする複数のＱｏＳフローのパラメータの和を前記データレートとして確定するように構成されることを特徴とする
請求項３７に記載のネットワーク装置。
【請求項４０】
前記データレートが少なくとも一つの端末装置における第一の端末装置のデータレートを含む場合、前記第一の確定ユニットは具体的に、
前記第二のネットワーク装置から提供された、前記第一の端末装置とマッピングする複数のＱｏＳフローのパラメータの和を前記データレートとして確定するように構成されることを特徴とする
請求項３７に記載のネットワーク装置。
【請求項４１】
前記複数のＱｏＳフローは、前記処理待ちデータを安全に処理することを確定するのに利用可能なデータフローであることを特徴とする
請求項３８−４０のいずれか一項に記載のネットワーク装置。
【請求項４２】
前記ネットワーク装置はさらに、
前記第二のネットワーク装置がＱｏＳフロー、ベアラ又はＰＤＵセッションのうちの少なくとも一つの確立を行う場合、前記第二のネットワーク装置がシステム内又はシステム間ハンドオーバのいずれか一つを行う場合のいずれかの場合、前記ＱｏＳパラメータを受信するように構成される受信ユニットを備えることを特徴とする
請求項３７−４１のいずれか一項に記載のネットワーク装置。
【請求項４３】
前記ネットワーク装置はさらに、
前記第二のネットワーク装置へ前記ＱｏＳパラメータの取得リクエストを送信するように構成される送信ユニットを備えることを特徴とする
請求項４２に記載のネットワーク装置。
【請求項４４】
前記ＱｏＳパラメータの取得リクエストは、前記第一のネットワーク装置が必要とする前記ＱｏＳパラメータのタイプを示すための情報、及び前記第一のネットワークが確定しようとするデータレートのタイプを示すための情報を含むことを特徴とする
請求項４３に記載のネットワーク装置。
【請求項４５】
前記ＱｏＳパラメータの取得リクエストはさらに前記ＱｏＳパラメータの送信方式を示すための情報を含み、前記送信方式が１回のみ送信又は周期的送信を含むことを特徴とする
請求項４４に記載のネットワーク装置。
【請求項４６】
前記ＱｏＳパラメータのタイプは最大ビットレート（ＭＢＲ）、最大フロービットレート（ＭＦＢＲ）と保証フロービットレート（ＧＦＢＲ）を含むことを特徴とする
請求項３７−４５のいずれか一項に記載のネットワーク装置。
【請求項４７】
前記第一のネットワーク装置は第一のアクセスネットワーク装置であり、前記第二のネットワーク装置は第二のアクセスネットワーク装置又はコアネットワーク装置であることを特徴とする
請求項３７−４６のいずれか一項に記載のネットワーク装置。
【請求項４８】
前記ネットワーク装置はさらに、
端末装置から送信された前記データレートを受信するように構成される受信ユニットを備えることを特徴とする
請求項３１又は３２に記載のネットワーク装置。
【請求項４９】
前記ネットワーク装置はさらに、
前記第一のネットワーク装置が前記処理待ちデータを安全に処理することを確定した場合、前記処理待ちデータに対して完全性保護処理及び／又は暗号化処理を行うように構成される処理ユニットを備えることを特徴とする
請求項３１−４８のいずれか一項に記載のいネットワーク装置。
【請求項５０】
ネットワーク装置であって、前記ネットワーク装置は第二のネットワーク装置であり、前記ネットワーク装置は、
第一のネットワーク装置へサービス品質（ＱｏＳ）パラメータを送信するように構成され、前記ＱｏＳパラメータが、前記第一のネットワーク装置が処理待ちデータを安全に処理するか否かを確定することに用いられる送信ユニットを備える、前記ネットワーク装置。
【請求項５１】
前記ネットワーク装置はさらに、
前記第一のネットワーク装置へ前記ＱｏＳパラメータを送信するか否かを確定するように構成される確定ユニットを備え、
前記送信ユニットは具体的に、
前記第二のネットワーク装置が前記第一のネットワーク装置へ前記ＱｏＳパラメータを送信することを確定した場合、前記第一のネットワーク装置へ前記ＱｏＳパラメータを送信するように構成されることを特徴とする
請求項５０に記載のネットワーク装置。
【請求項５２】
前記確定ユニットはさらに、
前記第二のネットワーク装置に前記ＱｏＳパラメータが記憶されているか否かを確定するように構成され、
前記確定ユニットは具体的に、
前記第二のネットワーク装置が前記第二のネットワーク装置に前記ＱｏＳパラメータが記憶されていることを確定した場合、前記第一のネットワーク装置へ前記ＱｏＳパラメータを送信することを確定するように構成されることを特徴とする
請求項５１に記載のネットワーク装置。
【請求項５３】
前記確定ユニットは具体的に、
ローカルポリシーに従って、前記第一のネットワーク装置へ前記ＱｏＳパラメータを送信するか否かを確定するように構成されることを特徴とする
請求項５１に記載のネットワーク装置。
【請求項５４】
前記確定ユニットは具体的に、
端末装置のサブスクリプション属性に従って、前記第一のネットワーク装置へ前記ＱｏＳパラメータを送信するか否かを確定するように構成されることを特徴とする
請求項５１に記載のネットワーク装置。
【請求項５５】
前記送信ユニットは具体的に、
前記第二のネットワーク装置がＱｏＳフロー、ベアラ又はＰＤＵセッションのうちの少なくとも一つの確立を行う場合、前記第二のネットワーク装置がシステム内又はシステム間ハンドオーバのいずれか一つを行う場合のいずれかの場合、前記第一のネットワーク装置へ前記ＱｏＳパラメータを送信するように構成されることを特徴とする
請求項５０に記載のネットワーク装置。
【請求項５６】
前記ネットワーク装置はさらに、
前記第一のネットワーク装置から送信された前記ＱｏＳパラメータの取得リクエストを受信するように構成される受信ユニットを備えることを特徴とする
請求項５０−５５のいずれか一項に記載のネットワーク装置。
【請求項５７】
前記ＱｏＳパラメータの取得リクエストは、前記第一のネットワーク装置が必要とする前記ＱｏＳパラメータのタイプを示すための情報、及び前記第一のネットワークが確定しようとするデータレートのタイプを示すための情報を含むことを特徴とする
請求項５６に記載のネットワーク装置。
【請求項５８】
前記ＱｏＳパラメータの取得リクエストはさらに前記ＱｏＳパラメータの送信方式を示すための情報を含み、前記送信方式が１回のみ送信又は周期的送信を含むことを特徴とする
請求項５７に記載のネットワーク装置。
【請求項５９】
前記ＱｏＳパラメータのタイプは最大ビットレート（ＭＢＲ）、最大フロービットレート（ＭＦＢＲ）と保証フロービットレートを含むことを特徴とする
請求項５０−５８のいずれか一項に記載のネットワーク装置。
【請求項６０】
前記第一のネットワーク装置は第一のアクセスネットワーク装置であり、前記第二のネットワーク装置は第二のアクセスネットワーク装置又はコアネットワーク装置であることを特徴とする
請求項５０−５９のいずれか一項に記載のネットワーク装置。
【発明の詳細な説明】
【技術分野】
【０００１】
本出願の実施例は、通信分野に関し、且つより具体的には、データ処理方法とネットワーク装置に関する。
【背景技術】
【０００２】
通信システムでは、通常、データを安全に処理する必要があり、従来技術におけるデータ伝送の性能が低い。
【発明の概要】
【発明が解決しようとする課題】
【０００３】
【課題を解決するための手段】
【０００４】
第一の態様によるデータ処理方法は、第一のネットワーク装置がデータレートを確定することと、該第一のネットワーク装置が該データレートに基づき、処理待ちデータを安全に処理するか否かを確定することとを含む。
【０００５】
データレートに基づき、データを安全に処理するか否かを確定することは、データ伝送の性能を向上させることに有利である。
【０００６】
一つの可能な実施形態では、該データレートは、少なくとも一つのサービス品質（ＱｏＳ）における第一のＱｏＳフローのデータレート、少なくとも一つのベアラにおける第一のベアラのデータレート、少なくとも一つのプロトコルデータユニット（ＰＤＵ）セッションにおける第一のＰＤＵセッションのデータレート及び少なくとも一つの端末装置における第一の端末装置のデータレートのうちの少なくとも一つを含む。
【０００７】
一つの可能な実施形態では、該第一のネットワーク装置がデータレートを確定することは、該第一のネットワーク装置が第一の期間内でレイヤ２の測定を実行して該データレートを取得することを含む。
【０００８】
一つの可能な実施形態では、該レイヤ２は、サービスデータ適応プロトコル（ＳＤＡＰ）レイヤー、パケットデータコンバージェンスプロトコル（ＰＤＣＰ）レイヤー又は無線リンク制御（ＲＬＣ）レイヤーを含む。
【０００９】
一つの可能な実施形態では、該第一のネットワーク装置がデータレートを確定することは、該第一のアクセスネットワーク装置が第一の期間内の伝送ブロックのサイズに基づき、該データレートを確定することを含む。
【００１０】
一つの可能な実施形態では、該第一の期間は該第一のネットワーク装置に予め設定され、該第一のネットワーク装置以外のネットワーク装置によって提供され、該第一のネットワーク装置によって配置され又は運用保守装置によって配置される。
【００１１】
一つの可能な実施形態では、該第一のネットワーク装置がデータレートを確定することは、該第一のネットワーク装置が第二のネットワーク装置から提供されたＱｏＳパラメータに基づき、該データレートを確定することを含む。
【００１２】
一つの可能な実施形態では、該データレートが少なくとも一つのベアラにおける第一のベアラのデータレートを含む場合、該第一のネットワーク装置が第二のネットワーク装置から提供されたＱｏＳパラメータに基づき、該データレートを確定することは、該端末装置が該第二のネットワーク装置から提供された、該第一のベアラとマッピングする複数のＱｏＳフローのパラメータの和を該データレートとして確定することを含む。
【００１３】
一つの可能な実施形態では、該データレートが少なくとも一つのプロトコルデータユニット（ＰＤＵ）セッションにおける第一のＰＤＵセッションのデータレートを含む場合、該第一のネットワーク装置が第二のネットワーク装置から提供されたＱｏＳパラメータに基づき、該データレートを確定することは、該端末装置が該第二のネットワーク装置から提供された、該第一のＰＤＵセッションとマッピングする複数のＱｏＳフローのパラメータの和を該データレートとして確定することを含む。
【００１４】
一つの可能な実施形態では、該データレートが少なくとも一つの端末装置における第一の端末装置のデータレートを含む場合、該第一のネットワーク装置が第二のネットワーク装置から提供されたＱｏＳパラメータに基づき、該データレートを確定することは、該端末装置が該第二のネットワーク装置から提供された、該第一の端末装置とマッピングする複数のＱｏＳフローのパラメータの和を該データレートとして確定することを含む。
【００１５】
一つの可能な実施形態では、該複数のＱｏＳフローは、該処理待ちデータを安全に処理することを確定するのに利用可能なデータフローである。
【００１６】
一つの可能な実施形態では、該方法は、さらに該第二のネットワーク装置がＱｏＳフロー、ベアラ又はＰＤＵセッションのうちの少なくとも一つの確立を行う場合、該第二のネットワーク装置がシステム内又はシステム間ハンドオーバのいずれか一つを行う場合のいずれかの場合、該第一のネットワーク装置が該ＱｏＳパラメータを受信することを含む。
【００１７】
一つの可能な実施形態では、該第一のネットワーク装置が該ＱｏＳパラメータを受信する前に、該方法はさらに該第一のネットワーク装置が該第二のネットワーク装置へ該ＱｏＳパラメータの取得リクエストを送信することを含む。
【００１８】
一つの可能な実施形態では、該ＱｏＳパラメータの取得リクエストは、該第一のネットワーク装置が必要とする該ＱｏＳパラメータのタイプを示すための情報、及び該第一のネットワークが確定しようとするデータレートのタイプを示すための情報を含む。
【００１９】
一つの可能な実施形態では、該ＱｏＳパラメータの取得リクエストはさらに該ＱｏＳパラメータの送信方式を示すための情報を含み、該送信方式が１回のみ送信又は周期的送信を含む。
【００２０】
一つの可能な実施形態では、該ＱｏＳパラメータのタイプは最大ビットレート（ＭＢＲ）、最大フロービットレート（ＭＦＢＲ）と保証フロービットレート（ＧＦＢＲ）を含む。
【００２１】
一つの可能な実施形態では、該第一のネットワーク装置は第一のアクセスネットワーク装置であり、該第二のネットワーク装置は第二のアクセスネットワーク装置又はコアネットワーク装置である。
【００２２】
一つの可能な実施形態では、該方法はさらに該第一のネットワーク装置が端末装置から送信された該データレートを受信することを含む。
【００２３】
一つの可能な実施形態では、該方法はさらに該第一のネットワーク装置が該処理待ちデータを安全に処理することを確定した場合、該第一のネットワーク装置が該処理待ちデータに対して完全性保護処理及び／又は暗号化処理を行うことを含む。
【００２４】
第二の態様によるデータ処理方法は、第二のネットワーク装置が第一のネットワーク装置へサービス品質（ＱｏＳ）パラメータを送信し、該ＱｏＳパラメータが、該第一のネットワーク装置が処理待ちデータを安全に処理するか否かを確定することに用いられることを含む。
【００２５】
一つの可能な実施形態では、前記第二のネットワーク装置は前記第一のネットワーク装置へ前記ＱｏＳパラメータを送信するか否かを確定し、前記第二のネットワーク装置が第一のネットワーク装置へサービス品質（ＱｏＳ）パラメータを送信することは、前記第二のネットワーク装置が前記第一のネットワーク装置へ前記ＱｏＳパラメータを送信することを確定した場合、前記第二のネットワーク装置が前記第一のネットワーク装置へ前記ＱｏＳパラメータを送信することを含む。
【００２６】
一つの可能な実施形態では、前記方法は、さらに前記第二のネットワーク装置が、前記第二のネットワーク装置に前記ＱｏＳパラメータが記憶されているか否かを確定することを含み、前記第二のネットワーク装置が前記第一のネットワーク装置へ前記ＱｏＳパラメータを送信するか否かを確定することは、前記第二のネットワーク装置が前記第二のネットワーク装置に前記ＱｏＳパラメータが記憶されていることを確定した場合、前記第二のネットワーク装置が前記第一のネットワーク装置へ前記ＱｏＳパラメータを送信することを確定することを含む。
【００２７】
一つの可能な実施形態では、該第二のネットワーク装置が該第一のネットワーク装置へ該ＱｏＳパラメータを送信するか否かを確定することは、該第二のネットワーク装置がローカルポリシーに従って、該第一のネットワーク装置へ該ＱｏＳパラメータを送信するか否かを確定することを含む。
【００２８】
一つの可能な実施形態では、該第二のネットワーク装置が該第一のネットワーク装置へ該ＱｏＳパラメータを送信するか否かを確定することは、該第二のネットワーク装置が端末装置のサブスクリプション属性に従って、該第一のネットワーク装置へ該ＱｏＳパラメータを送信するか否かを確定することを含む。
【００２９】
一つの可能な実施形態では、該第二のネットワーク装置が第一のネットワーク装置へサービス品質（ＱｏＳ）パラメータを送信することは、該第二のネットワーク装置がＱｏＳフロー、ベアラ又はＰＤＵセッションのうちの少なくとも一つの確立を行う場合、該第二のネットワーク装置がシステム内又はシステム間ハンドオーバのいずれか一つを行う場合のいずれかの場合、該第二のネットワーク装置が該第一のネットワーク装置へ該ＱｏＳパラメータを送信することを含む。
【００３０】
一つの可能な実施形態では、該第二のネットワーク装置が該第一のネットワーク装置へ該ＱｏＳパラメータを送信する前に、該方法はさらに該第二のネットワーク装置が該第一のネットワーク装置から送信された該ＱｏＳパラメータの取得リクエストを受信することを含む。
【００３１】
一つの可能な実施形態では、該ＱｏＳパラメータの取得リクエストは、該第一のネットワーク装置が必要とする該ＱｏＳパラメータのタイプを示すための情報、及び該第一のネットワークが確定しようとするデータレートのタイプを示すための情報を含む。
【００３２】
一つの可能な実施形態では、該ＱｏＳパラメータの取得リクエストはさらに該ＱｏＳパラメータの送信方式を示すための情報を含み、該送信方式が１回のみ送信又は周期的送信を含む。
【００３３】
一つの可能な実施形態では、該ＱｏＳパラメータのタイプは最大ビットレート（ＭＢＲ）、最大フロービットレート（ＭＦＢＲ）と保証フロービットレートを含む。
【００３４】
一つの可能な実施形態では、該第一のネットワーク装置は第一のアクセスネットワーク装置であり、該第二のネットワーク装置は第二のアクセスネットワーク装置又はコアネットワーク装置である。
【００３５】
第三の態様によるネットワーク装置は上記第一の態様又は第一の態様のいずれかの可能な実施形態における方法を実行することに用いられる。具体的には、該ネットワーク装置は、上記第一の態様又は第一の態様のいずれかの可能な実施形態における方法を実行するためのユニットを備える。
【００３６】
第四の態様によるネットワーク装置は、上記第二の態様又は第二の態様のいずれかの可能な実施形態における方法を実行することに用いられる。具体的には、該ネットワーク装置は、上記第二の態様又は第二の態様のいずれかの可能な実施形態における方法を実行するためのユニットを備える。
【００３７】
第五の態様によるネットワーク装置は、メモリ、プロセッサ、入力インタフェースと出力インタフェースを備える。ここで、メモリ、プロセッサ、入力インタフェースと出力インタフェースは、バスシステムを介して接続される。該メモリは命令を記憶するように構成され、該プロセッサは該メモリに記憶された、上記第一の態様又は第一の態様のいずれかの可能な実施形態における方法を実行するための命令を実行するように構成される。
【００３８】
第六の態様によるネットワーク装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第二の態様又は第二の態様のいずれかの可能な実施形態における方法を実行するための命令を実行するように構成される。
【００３９】
第七の態様によるコンピュータ記憶媒体は、上記第一の態様又は第一の態様のいずれかの可能な実施形態における方法、又は上記第二の態様又は第二の態様のいずれかの可能な実施形態における方法を実行するための、上記態様を実行するために設計されたプログラムを含むコンピュータソフトウエア命令を記憶することに用いられる。
【００４０】
第八の態様による命令を含むコンピュータプログラム製品は、コンピュータで実行される場合、コンピュータが上記第一の態様又は第一の態様の任意の選択可能な実施形態における方法、又は上記第二の態様又は第二の態様の任意の選択可能な実施形態における方法を実行する。
【００４１】
本出願のこれらの態様又は他の態様は以下の実施例の説明からより容易に明らかになる。
【図面の簡単な説明】
【００４２】
【図１】本出願の実施例の一つの応用シーンを示す概略図である。
【図２】本出願の実施例によるデータ処理方法を示す概略ブロック図である。
【図３】本出願の実施例によるデータ処理方法を示す別の概略ブロック図である。
【図４】本出願の実施例によるネットワーク装置を示す概略ブロック図である。
【図５】本出願の実施例によるネットワーク装置を示す別の概略ブロック図である。
【図６】本出願の実施例によるネットワーク装置を示すさらなる別の概略ブロック図である。
【図７】本出願の実施例によるネットワーク装置を示すさらなる別の概略ブロック図である。
【発明を実施するための形態】
【００４３】
以下に本出願の実施例における図面と組み合わせて、本出願の実施例における技術的解決策を明確且つ全面的に説明する。
【００４４】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｖｅｄ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新しい無線（ＮＲ：Ｎｅｗ  Ｒａｄｉｏ）又は将来の５Ｇシステムなどに応用されてもよい。
【００４５】
特に、本出願の実施例の技術的解決策は非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００４６】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例では限定されない。
【００４７】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例では限定されない。
【００４８】
図１は本出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク伝送を表すことができる。
【００４９】
従来技術では、データを伝送する前に、データを安全に処理する必要があるが、実際の応用において、いくつかのデータは、安全に処理されることなく、確実に伝送されてもよいが、この部分のデータにとって、データ伝送の性能が低い。
【００５０】
この場合、本出願の実施例はデータ伝送の性能を向上させることに有利なデータ処理方法を提供する。
【００５１】
理解すべきものとして、本明細書で用語「システム」と「ネットワーク」は常に本明細書で互換可能に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００５２】
図２は本出願の実施例によるデータを処理するための該方法１００を示す概略ブロック図である。図２に示すように、該方法１００は以下の一部又は全部の内容を含む。
【００５３】
Ｓ１１０において、第一のネットワーク装置はデータレートを確定する。
【００５４】
Ｓ１２０において、前記第一のネットワーク装置は前記データレートに基づき、処理待ちデータを安全に処理するか否かを確定する。
【００５５】
具体的には、該第一のネットワーク装置はアクセスネットワーク装置であってもよく、アクセスネットワーク装置は、まず一つの関連するデータデータレートを確定することができ、該関連するデータレートが例えばアクセスネットワーク装置によって確立されたあるサービス品質（ＱｏＳ：Ｑｕａｌｉｔｙ  ｏｆ  Ｓｅｒｖｉｃｅ）データフローのデータレートであってもよいし、アクセスネットワーク装置によって確立されたあるベアラのデータフローであってもよいし、アクセスネットワーク装置によって確立されたあるプロトコルデータユニット（ＰＤＵ：Ｐｒｏｔｏｃｏｌ  Ｄａｔａ  Ｕｎｉｔ）セッションのデータレートであってもよいし、アクセスネットワーク装置にアクセスするある端末装置のデータレートであってもよい。また、例えば、該データレートはアクセスネットワーク装置によって確立された複数のＱｏＳフローの平均レートであってもよいし、アクセスネットワーク装置によって確立された複数のベアラの平均レートであってもよいし、アクセスネットワーク装置によって確立された複数のＰＤＵセッションの平均レートであってもよいし、アクセスネットワーク装置にアクセスする複数の端末装置の平均レートであってもよい。本出願の実施例ではデータレートが限定されなく、アクセスネットワーク装置に関連するデータレートであれば、本出願の実施例におけるデータレートと考えられてもよい。さらに、アクセスネットワーク装置はデータレートに基づき、データを安全に処理するか否かを判定することができ、つまり、データレートに基づき、データに対する安全保護メカニズムを起動するか否かを確定することができ、該メカニズムが通常、データに対する完全性保護メカニズム及び／又はデータに対する暗号化メカニズムを含むことができる。例えば、アクセスネットワーク装置は一つの閾値を設定することができ、データレートが該閾値よりも大きい場合、データを安全に処理でき、データレートが該閾値よりも小さい場合、データを安全に処理しないと考え、アクセスネットワーク装置は２つの閾値を設定することができ、データレートが最大の閾値よりも大きい場合、データに対して完全性保護処理だけでなく、暗号化処理を行うことができ、データレートが２つの閾値の間にある場合、データに対して完全性保護処理のみを行うことができ、暗号化処理を行わなく
、データレートが最小の閾値よりも小さい場合、データを安全に処理しなくてもよい。
【００５６】
したがって、本出願の実施例のデータ処理方法では、データレートに基づき、データを安全に処理するか否かを確定することは、データ伝送の性能を向上させることに有利である。
【００５７】
理解すべきものとして、本出願の実施例におけるデータレートはアクセスネットワーク装置があるＱｏＳフロー、あるベアラ、あるＰＤＵセッションを確立する時にデータ処理を行うレートであってもよく、後続の処理待ちデータを安全に処理するか否かを確定することに用いられてもよい。該データレートはさらにアクセスネットワーク装置がある期間内で受信又は送信したデータのデータレートであってもよい。
【００５８】
選択可能に、上記から分かるように、該データレートは、少なくとも一つのサービス品質（ＱｏＳ）における第一のＱｏＳフローのデータレート、少なくとも一つのベアラにおける第一のベアラのデータレート、少なくとも一つのプロトコルデータユニット（ＰＤＵ）セッションにおける第一のＰＤＵセッションのデータレート及び少なくとも一つの端末装置における第一の端末装置のデータレートのうちの少なくとも一つを含む。
【００５９】
理解すべきものとして、上記の様々なデータレートはデータレートのタイプと見なされてもよく、本出願の実施例におけるデータレートのタイプはこれを含むがこれに限定されない。
【００６０】
選択可能に、アクセスネットワーク装置はある期間内で送信又は受信されたデータに基づいてデータレートを計算することができる。例えば、該第一のネットワーク装置がデータレートを確定することは、該第一のネットワーク装置が第一の期間内でレイヤ２の測定を実行して該データレートを取得することを含む。該レイヤ２は、サービスデータ適応プロトコル（ＳＤＡＰ：ｅｒｖｉｃｅ  Ｄａｔａ  Ａｄａｐｔａｔｉｏｎ  Ｐｒｏｔｏｃｏｌ）レイヤー、パケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）レイヤー又は無線リンク制御（ＲＬＣ：Ｒａｄｉｏ  Ｌｉｎｋ  Ｃｏｎｔｒｏｌ）レイヤーのうちの一つを含む。
【００６１】
レイヤ２の測定とは、当業者の理解範囲に属するものであり、ここでは詳細に説明しない。しかし、理解すべきものとして、本出願の実施例におけるレイヤ２は上述した各層を含むがこれらに限定されず、メディアアクセス制御（ＭＡＣ：Ｍｅｄｉａ  Ａｃｃｅｓｓ  Ｃｏｎｔｒｏｌ）層などであってもよい。
【００６２】
また、例えば、該第一のネットワーク装置がデータレートを確定することは、該第一のアクセスネットワーク装置が第一の期間内の伝送ブロックのサイズに基づき、該データレートを確定することを含む。
【００６３】
選択可能に、本出願の実施例では、該第一の期間は該第一のネットワーク装置に予め設定され、該第一のネットワーク装置以外のネットワーク装置によって提供され、該第一のネットワーク装置によって配置され又は運用保守装置によって配置される。
【００６４】
選択可能に、本出願の実施例では、該第一のネットワーク装置がデータレートを確定することは、該第一のネットワーク装置が第二のネットワーク装置から提供されたＱｏＳパラメータに基づき、該データレートを確定することを含む。
【００６５】
具体的には、アクセスネットワーク装置は他のネットワーク装置から提供されたパラメータに基づいてデータレートを計算することができ、例えば該提供されたパラメータが最大ビットレート（ＭＢＲ：Ｍａｘｉｍｕｍ  Ｂｉｔ  Ｒａｔｅ）、最大フロービットレート（ＭＦＢＲ：Ｍａｘｉｍｕｍ  Ｆｌｏｗ  Ｂｉｔ  Ｒａｔｅ）と保証フロービットレート（ＧＦＢＲ：Ｇｕａｒａｎｔｅｅｄ  Ｆｌｏｗ  Ｂｉｔ  Ｒａｔｅ）などであってもよいし、ＱｏＳパラメータのうちの他のパラメータ、例えば最大集約ビットレート（ＡＭＢＲ：Ａｇｇｒｅｇａｔｉｏｎ  Ｍａｘｉｍｕｍ  Ｂｉｔ  Ｒａｔｅ）などであってもよい。
【００６６】
例えば、本出願の実施例では、該データレートが少なくとも一つのベアラにおける第一のベアラのデータレートを含む場合、該第一のネットワーク装置が第二のネットワーク装置から提供されたＱｏＳパラメータに基づき、該データレートを確定することは、該端末装置が該第二のネットワーク装置から提供された、該第一のベアラとマッピングする複数のＱｏＳフローのパラメータの和を該データレートとして確定することを含む。
【００６７】
また、例えば、本出願の実施例では、該データレートが少なくとも一つのプロトコルデータユニット（ＰＤＵ）セッションにおける第一のＰＤＵセッションのデータレートを含む場合、該第一のネットワーク装置が第二のネットワーク装置から提供されたＱｏＳパラメータに基づき、該データレートを確定することは、該端末装置が該第二のネットワーク装置から提供された、該第一のＰＤＵセッションとマッピングする複数のＱｏＳフローのパラメータの和を該データレートとして確定することを含む。
【００６８】
また、例えば、本出願の実施例では、該データレートが少なくとも一つの端末装置における第一の端末装置のデータレートを含む場合、該第一のネットワーク装置が第二のネットワーク装置から提供されたＱｏＳパラメータに基づき、該データレートを確定することは、該端末装置が該第二のネットワーク装置から提供された、該第一の端末装置ベアラとマッピングする複数のＱｏＳフローのパラメータの和を該データレートとして確定することを含む。
【００６９】
理解すべきものとして、該複数のＱｏＳフローは、該処理待ちデータを安全に処理することを確定するのに利用可能なデータフローである。また、理解すべきものとして、上記は、ＱｏＳパラメータに基づいてデータレートを計算する方法のみを示すが、別の計算方式であってもよく、例えば、あるデータレートタイプとマッピングする一つのデータフローのデータレートを本出願の実施例が必要とするデータレートとして直接確定することができる。
【００７０】
選択可能に、本出願の実施例では、該方法はさらに該第二のネットワーク装置がＱｏＳフロー、ベアラ又はＰＤＵセッションのうちの少なくとも一つの確立を行う場合、該第二のネットワーク装置がシステム内又はシステム間ハンドオーバのいずれか一つを行う場合のいずれかの場合、該第一のネットワーク装置が該ＱｏＳパラメータを受信することを含む。
【００７１】
具体的には、第二のネットワーク装置は、あるＱｏＳフロー、あるベアラ又はあるＰＤＵセッションを確立する時に、該ＱｏＳ、該ベアラ又は該ＰＤＵセッションとマッピングするＱｏＳパラメータを第一のネットワーク装置に直接通知することができ、そして第一のネットワーク装置は、受信された、あるデータレートタイプに関連するＱｏＳパラメータに基づいて、対応するデータレートを計算することができ、第二のネットワーク装置はハンドオーバする時にＱｏＳパラメータを第一のネットワーク装置に送信することもでき、つまり、本出願の実施例における第二のネットワーク装置は取得されたＱｏＳパラメータを第一のネットワーク装置に能動的に送信することができる。
【００７２】
選択可能に、本出願の実施例では、該第一のネットワーク装置が該ＱｏＳパラメータを受信する前に、該方法はさらに該第一のネットワーク装置が該第二のネットワーク装置へ該ＱｏＳパラメータの取得リクエストを送信することを含む。
【００７３】
言い換えれば、第二のネットワーク装置は第一のネットワーク装置によってトリガされて第一のネットワーク装置へ必要なＱｏＳパラメータを送信することができる。例えば、第一のネットワーク装置は第二のネットワーク装置へ一つの取得リクエストを送信することができ、第二のネットワーク装置はリクエストを受信した後に、まずＱｏＳパラメータが記憶されているか否かを判定し、ＱｏＳパラメータが記憶されている場合、第一のネットワーク装置へ送信することができる。該リクエストは、第一のネットワーク装置が上記のどのＱｏＳパラメータを必要とするかを示すための情報を含むことができ、例えば該パラメータがＭＢＲ、ＭＦＢＲ又はＧＦＢＲなどであってもよく、該リクエストにはどのデータレートのタイプと対応関係を有するかを示すための情報を含ませてもよい。例えば、該リクエストには必要なＭＢＲ、及びＭＢＲとマッピングするあるベアラを含ませてもよい。第一のネットワーク装置が第二のネットワーク装置から送信されたＱｏＳパラメータを受信し、ここでＭＢＲが送信される場合、第一のネットワーク装置は該ＭＢＲに基づいて対応するベアラのデータレートを計算することができる。
【００７４】
選択可能に、本出願の実施例では、該ＱｏＳパラメータの取得リクエストは、さらに該ＱｏＳパラメータの送信方式のための情報を含み、該送信方式が１回のみ送信又は周期的送信を含む。
【００７５】
理解すべきものとして、上記リクエストに含まれる様々な情報は明示的又は暗示的な指示方式であってもよく、本出願の実施例はこれに限定されない。
【００７６】
選択可能に、本出願の実施例では、該方法はさらに該第一のネットワーク装置が端末装置から送信された該データレートを受信することを含む。
【００７７】
第一のネットワーク装置が必要とするデータレートがある端末装置によって送信されてもよく、例えば、第一の端末装置はそれ自体のデータレーを送信することができ、別の端末装置のデータレートを送信することもでき、本出願の実施例はこれに限定されない。
【００７８】
図３は本出願の実施例によるデータ処理方法２００を示す概略ブロック図である。図３に示すように、該方法２００は以下の一部又は全部の内容を含む。
【００７９】
Ｓ２１０において、第二のネットワーク装置は第一のネットワーク装置へサービス品質（ＱｏＳ）パラメータを送信し、該ＱｏＳパラメータが、該第一のネットワーク装置が処理待ちデータを安全に処理するか否かを確定することに用いられる。
【００８０】
したがって、本出願の実施例のデータ処理方法では、他のネットワーク装置へＱｏＳパラメータを送信することにより、他のネットワーク装置はデータレートに基づき、データを安全に処理するか否かを確定することができ、データ伝送の性能を向上させることに有利である。
【００８１】
具体的には、第二のネットワーク装置から第一のネットワーク装置へのＱｏＳパラメータの送信が能動的送信と受動的送信に分けられてもよく、能動的送信とは第二のネットワーク装置が該ＱｏＳパラメータを取得すると第二のネットワーク装置へ送信することを指し、受動的送信とは第一のネットワーク装置によってトリガされる場合のみ、第一のネットワーク装置へ該ＱｏＳパラメータを送信することを指す。
【００８２】
さらに、該方法は、さらに該第二のネットワーク装置が該第一のネットワーク装置へ該ＱｏＳパラメータを送信するか否かを確定することを含み、該第二のネットワーク装置が第一のネットワーク装置へサービス品質（ＱｏＳ）パラメータを送信することは、該第二のネットワーク装置が該第一のネットワーク装置へ該ＱｏＳパラメータを送信することを確定した場合、該第二のネットワーク装置が該第一のネットワーク装置へ該ＱｏＳパラメータを送信することを含む。
【００８３】
選択可能に、本出願の実施例では、該方法はさらに該第二のネットワーク装置が該第二のネットワーク装置に該ＱｏＳパラメータが記憶されているか否かを確定することを含み、該第二のネットワーク装置が該第一のネットワーク装置へ該ＱｏＳパラメータを送信するか否かを確定することは、該第二のネットワーク装置が該第二のネットワーク装置に該ＱｏＳパラメータが記憶されていることを確定した場合、該第二のネットワーク装置が該第一のネットワーク装置へ該ＱｏＳパラメータを送信することを確定することを含む。
【００８４】
選択可能に、本出願の実施例では、該第二のネットワーク装置が該第一のネットワーク装置へ該ＱｏＳパラメータを送信するか否かを確定することは、該第二のネットワーク装置がローカルポリシーに従って、該第一のネットワーク装置へ該ＱｏＳパラメータを送信するか否かを確定することを含む。
【００８５】
選択可能に、本出願の実施例では、該第二のネットワーク装置が該第一のネットワーク装置へ該ＱｏＳパラメータを送信するか否かを確定することは、該第二のネットワーク装置が端末装置のサブスクリプション属性に従って、該第一のネットワーク装置へ該ＱｏＳパラメータを送信するか否かを確定することを含む。
【００８６】
理解すべきものとして、第一のネットワーク装置へ送信するか否かを確定する上記の様々な方式は例示的に説明するためのものだけであるが、本出願の実施例は上記の様々な解決策を含むがこれらに限定されない。
【００８７】
選択可能に、本出願の実施例では、該第二のネットワーク装置が第一のネットワーク装置へサービス品質（ＱｏＳ）パラメータを送信することは、該第二のネットワーク装置がＱｏＳフロー、ベアラ又はＰＤＵセッションのうちの少なくとも一つの確立を行う場合、該第二のネットワーク装置がシステム内又はシステム間ハンドオーバのいずれか一つを行う場合のいずれかの場合、該第二のネットワーク装置が該第一のネットワーク装置へ該ＱｏＳパラメータを送信することを含む。
【００８８】
選択可能に、本出願の実施例では、該第二のネットワーク装置が該第一のネットワーク装置へ該ＱｏＳパラメータを送信する前に、該方法はさらに該第二のネットワーク装置が該第一のネットワーク装置から送信された該ＱｏＳパラメータの取得リクエストを受信することを含む。
【００８９】
選択可能に、本出願の実施例では、該ＱｏＳパラメータの取得リクエストは、該第一のネットワーク装置が必要とする該ＱｏＳパラメータのタイプを示すための情報、及び該第一のネットワークが確定しようとするデータレートのタイプを示すための情報を含む。
【００９０】
選択可能に、本出願の実施例では、該ＱｏＳパラメータの取得リクエストは、さらに該ＱｏＳパラメータの送信方式を示すための情報をさらに含み、該送信方式が１回のみ送信又は周期的送信を含む。
【００９１】
選択可能に、本出願の実施例では、該ＱｏＳパラメータのタイプは最大ビットレート（ＭＢＲ）、最大フロービットレート（ＭＦＢＲ）と保証フロービットレートを含む。
【００９２】
選択可能に、本出願の実施例では、該第一のネットワーク装置は第一のアクセスネットワーク装置であり、該第二のネットワーク装置は第二のアクセスネットワーク装置又はコアネットワーク装置である。
【００９３】
理解すべきものとして、第二のネットワーク装置から説明される第二のネットワーク装置と第一のネットワーク装置とのインタラクション及び関連特性、機能などが第一のネットワーク装置の関連特性、機能に対応する。そして、関連内容について上記方法１００で詳細に説明され、簡潔にするために、説明を省略する。
【００９４】
また、理解すべきものとして、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではない。
【００９５】
以上に本出願の実施例によるデータ処理方法を詳細に説明し、以下に図４〜図７と組み合わせて本出願の実施例によるデータ処理装置を説明し、方法の実施例で説明される技術的特徴が以下の装置の実施例に適用される。
【００９６】
図４は本出願の実施例によるネットワーク装置３００を示す概略ブロック図である。該ネットワーク装置３００は第一のネットワーク装置であり、図４に示すように、該ネットワーク装置３００は、
データレートを確定するように構成される第一の確定ユニット３１０と、
該データレートに基づき、処理待ちデータを安全に処理するか否かを確定するように構成される第二の確定ユニット３２０とを備える。
【００９７】
したがって、本出願の実施例のネットワーク装置では、データレートに基づき、データを安全に処理するか否かを確定することは、データ伝送の性能を向上させることに有利である。
【００９８】
選択可能に、本出願の実施例では、該データレートは、少なくとも一つのサービス品質（ＱｏＳ）における第一のＱｏＳフローのデータレート、少なくとも一つのベアラにおける第一のベアラのデータレート、少なくとも一つのプロトコルデータユニット（ＰＤＵ）セッションにおける第一のＰＤＵセッションのデータレート及び少なくとも一つの端末装置における第一の端末装置のデータレートのうちの少なくとも一つを含む。
【００９９】
選択可能に、本出願の実施例では、該第一の確定ユニットは具体的に、
第一の期間内でレイヤ２の測定を実行して該データレートを取得するように構成される。
【０１００】
選択可能に、本出願の実施例では、該レイヤ２は、サービスデータ適応プロトコル（ＳＤＡＰ）レイヤー、パケットデータコンバージェンスプロトコル（ＰＤＣＰ）レイヤー又は無線リンク制御（ＲＬＣ）レイヤーを含む。
【０１０１】
選択可能に、本出願の実施例では、該第一の確定ユニットは具体的に該第一のネットワーク装置が第一の期間内の伝送ブロックのサイズに基づき、該データレートを確定するように構成される。
【０１０２】
選択可能に、本出願の実施例では、該第一の期間は該第一のネットワーク装置に予め設定され、該第一のネットワーク装置以外のネットワーク装置によって提供され、該第一のネットワーク装置によって配置され又は運用保守装置によって配置される。
【０１０３】
選択可能に、本出願の実施例では、該第一の確定ユニットは具体的に、
第二のネットワーク装置から提供されたＱｏＳパラメータに基づき、該データレートを確定するように構成される。
【０１０４】
選択可能に、本出願の実施例では、該データレートが少なくとも一つのベアラにおける第一のベアラのデータレートを含む場合、該第一の確定ユニットは具体的に、
該第二のネットワーク装置から提供された、該第一のベアラとマッピングする複数のＱｏＳフローのパラメータの和を該データレートとして確定するように構成される。
【０１０５】
選択可能に、本出願の実施例では、該データレートが少なくとも一つのプロトコルデータユニット（ＰＤＵ）セッションにおける第一のＰＤＵセッションのデータレートを含む場合、該第一の確定ユニットは具体的に、
該第二のネットワーク装置から提供された、該第一のＰＤＵセッションとマッピングする複数のＱｏＳフローのパラメータの和を該データレートとして確定するように構成される。
【０１０６】
選択可能に、本出願の実施例では、該データレートが少なくとも一つの端末装置における第一の端末装置のデータレートを含む場合、該第一の確定ユニットは具体的に、
該第二のネットワーク装置から提供された、該第一の端末装置とマッピングする複数のＱｏＳフローのパラメータの和を該データレートとして確定するように構成される。
【０１０７】
選択可能に、本出願の実施例では、該複数のＱｏＳフローは、該処理待ちデータを安全に処理することを確定するのに利用可能なデータフローである。
【０１０８】
選択可能に、本出願の実施例では、該ネットワーク装置はさらに、
該第二のネットワーク装置がＱｏＳフロー、ベアラ又はＰＤＵセッションのうちの少なくとも一つの確立を行う場合、該第二のネットワーク装置がシステム内又はシステム間ハンドオーバのいずれか一つを行う場合のいずれかの場合、該ＱｏＳパラメータを受信するように構成される受信ユニットを備える。
【０１０９】
選択可能に、本出願の実施例では、該ネットワーク装置はさらに、
該第二のネットワーク装置へ該ＱｏＳパラメータの取得リクエストを送信するように構成される送信ユニットを備える。
【０１１０】
選択可能に、本出願の実施例では、該ＱｏＳパラメータの取得リクエストは、該第一のネットワーク装置が必要とする該ＱｏＳパラメータのタイプを示すための情報、及び該第一のネットワークが確定しようとするデータレートのタイプを示すための情報を含む。
【０１１１】
選択可能に、本出願の実施例では、該ＱｏＳパラメータの取得リクエストは、さらに該ＱｏＳパラメータの送信方式を示すための情報をさらに含み、該送信方式が１回のみ送信又は周期的送信を含む。
【０１１２】
選択可能に、本出願の実施例では、該ＱｏＳパラメータのタイプは最大ビットレート（ＭＢＲ）、最大フロービットレート（ＭＦＢＲ）と保証フロービットレート（ＧＦＢＲ）を含む。
【０１１３】
選択可能に、本出願の実施例では、該第一のネットワーク装置は第一のアクセスネットワーク装置であり、該第二のネットワーク装置は第二のアクセスネットワーク装置又はコアネットワーク装置である。
【０１１４】
選択可能に、本出願の実施例では、該ネットワーク装置はさらに、
端末装置から送信された該データレートを受信するように構成される受信ユニットを備える。
【０１１５】
選択可能に、本出願の実施例では、該ネットワーク装置はさらに、
該第一のネットワーク装置が該処理待ちデータを安全に処理することを確定した場合、該処理待ちデータに対して完全性保護処理及び／又は暗号化処理を行うように構成される処理ユニットを備える。
【０１１６】
理解すべきものとして、本出願の実施例によるネットワーク装置３００は本出願の方法の実施例におけるネットワーク装置に対応してもよく、且つネットワーク装置３００の各ユニットの上記と他の操作及び／又は機能はそれぞれ図２の方法における第一のネットワーク装置の対応するプロセスを実現するためのものであり、簡潔するために、ここでは説明を省略する。
【０１１７】
図５は本出願の実施例によるネットワーク装置４００を示す概略ブロック図である。該ネットワーク装置は第二のネットワーク装置であり、図５に示すように、該ネットワーク装置４００は、
第一のネットワーク装置へサービス品質（ＱｏＳ）パラメータを送信するように構成され、該ＱｏＳパラメータが、該第一のネットワーク装置が処理待ちデータを安全に処理するか否かを確定することに用いられる送信ユニット４２０を備える。
【０１１８】
したがって、本出願の実施例のネットワーク装置では、他のネットワーク装置へＱｏＳパラメータを送信することにより、他のネットワーク装置がデータレートに基づき、データを安全に処理するか否かを確定することができ、データ伝送の性能を向上させることに有利である。
【０１１９】
選択可能に、本出願の実施例では、前記第二のネットワーク装置が第一のネットワーク装置へサービス品質（ＱｏＳ）パラメータを送信することは、前記第二のネットワーク装置が前記第一のネットワーク装置へ前記ＱｏＳパラメータを送信することを確定した場合、前記第二のネットワーク装置が前記第一のネットワーク装置へ前記ＱｏＳパラメータを送信することを含む。
【０１２０】
選択可能に、本出願の実施例では、前記方法は、さらに前記第二のネットワーク装置が、前記第二のネットワーク装置に前記ＱｏＳパラメータが記憶されているか否かを確定することを含み、前記第二のネットワーク装置が前記第一のネットワーク装置へ前記ＱｏＳパラメータを送信するか否かを確定することは、前記第二のネットワーク装置が前記第二のネットワーク装置に前記ＱｏＳパラメータが記憶されていることを確定した場合、前記第二のネットワーク装置が前記第一のネットワーク装置へ前記ＱｏＳパラメータを送信することを確定することを含む。
【０１２１】
選択可能に、本出願の実施例では、該確定ユニットは具体的に、
ローカルポリシーに従って、該第一のネットワーク装置へ該ＱｏＳパラメータを送信するか否かを確定するように構成される。
【０１２２】
選択可能に、本出願の実施例では、該確定ユニットは具体的に、
端末装置のサブスクリプション属性に従って、該第一のネットワーク装置へ該ＱｏＳパラメータを送信するか否かを確定するように構成される。
【０１２３】
選択可能に、本出願の実施例では、該送信ユニットは具体的に、
該第二のネットワーク装置がＱｏＳフロー、ベアラ又はＰＤＵセッションのうちの少なくとも一つの確立を行う場合、該第二のネットワーク装置がシステム内又はシステム間ハンドオーバのいずれか一つを行う場合のいずれかの場合、該第一のネットワーク装置へ該ＱｏＳパラメータを送信するように構成される。
【０１２４】
選択可能に、本出願の実施例では、該ネットワーク装置はさらに、
該第一のネットワーク装置から送信された該ＱｏＳパラメータの取得リクエストを受信するように構成される受信ユニットを備える。
【０１２５】
選択可能に、本出願の実施例では、該ＱｏＳパラメータの取得リクエストは、該第一のネットワーク装置が必要とする該ＱｏＳパラメータのタイプを示すための情報、及び該第一のネットワークが確定しようとするデータレートのタイプを示すための情報を含む。
【０１２６】
選択可能に、本出願の実施例では、該ＱｏＳパラメータの取得リクエストは、さらに該ＱｏＳパラメータの送信方式を示すための情報をさらに含み、該送信方式が１回のみ送信又は周期的送信を含む。
【０１２７】
選択可能に、本出願の実施例では、該ＱｏＳパラメータのタイプは最大ビットレート（ＭＢＲ）、最大フロービットレート（ＭＦＢＲ）と保証フロービットレートを含む。
【０１２８】
選択可能に、本出願の実施例では、該第一のネットワーク装置は第一のアクセスネットワーク装置であり、該第二のネットワーク装置は第二のアクセスネットワーク装置又はコアネットワーク装置である。
【０１２９】
理解すべきものとして、本出願の実施例によるネットワーク装置４００は本出願の方法の実施例における第二のネットワーク装置に対応してもよく、且つネットワーク装置４００の各ユニットの上記と他の操作及び／又は機能はそれぞれ図３の方法における第二のネットワーク装置の対応するプロセスを実現するためのものであり、簡潔するために、ここでは説明を省略する。
【０１３０】
図６に示すように、本出願の実施例はさらに図２の方法１００に対応する第一のネットワーク装置のコンテンツを実行することに用いられてもよい図４のネットワーク装置３００とすることができるネットワーク装置５００を提供する。該ネットワーク装置５００は、入力インタフェース５１０、出力インタフェース５２０、プロセッサ５３０及びメモリ５４０を備え、該入力インタフェース５１０、出力インタフェース５２０、プロセッサ５３０とメモリ５４０がバスシステムを介して接続されてもよい。該メモリ５４０はプログラム、命令又はコードを記憶するように構成される。該プロセッサ５３０は、該メモリ５４０でのプログラム、命令又はコードを実行して、信号を受信するように入力インタフェース５１０を制御し、信号を送信するように出力インタフェース５２０を制御し、上記方法の実施例における操作を完了するように構成される。
【０１３１】
したがって、本出願の実施例のネットワーク装置では、データレートに基づき、データを安全に処理するか否かを確定することは、データ伝送の性能を向上させることに有利である。
【０１３２】
理解すべきものとして、本出願の実施例では、該プロセッサ５３０は中央処理ユニット（ＣＰＵ：Ｃｅｎｔｒａｌ  Ｐｒｏｃｅｓｓｉｎｇ  Ｕｎｉｔ）であってもよく、該プロセッサ５３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１３３】
該メモリ５４０は読み取り専用メモリとランダムアクセスメモリを含み、そしてプロセッサ５３０へ命令とデータを提供することができる。メモリ５４０の一部はさらに不揮発性ランダムアクセスメモリを含むことができる。例えば、メモリ５４０はさらに装置タイプの情報を記憶することができる。
【０１３４】
実施プロセスでは、上記方法の各内容は、プロセッサ５３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５４０に位置し、プロセッサ５３０はメモリ５４０における情報を読み取り、そのハードウェアと組み合わせて上記方法の内容を完了する。繰り返しを回避するために、ここで詳細な説明を省略する。
【０１３５】
一つの具体的な実施形態では、ネットワーク装置３００における受信ユニットは図６における入力インタフェース５１０によって実現されてもよく、ネットワーク装置３００における第一の確定ユニットと第二の確定ユニットは図６におけるプロセッサ５３０によって実現されてもよい。ネットワーク装置３００の送信ユニットは図６における出力インタフェース５２０によって実現されてもよい。
【０１３６】
図７に示すように、本出願の実施例はさらに図３の方法２００に対応する第二のネットワーク装置のコンテンツを実行することに用いられてもよい図５のネットワーク装置４００とすることができるネットワーク装置６００を提供する。該ネットワーク装置６００は、入力インタフェース６１０、出力インタフェース６２０、プロセッサ６３０及びメモリ６４０を備え、該入力インタフェース６１０、出力インタフェース６２０、プロセッサ６３０とメモリ６４０がバスシステムを介して接続されてもよい。該メモリ６４０はプログラム、命令又はコードを記憶するように構成される。該プロセッサ６３０は該メモリ６４０でのプログラム、命令又はコードを実行して、信号を受信するように入力インタフェース６１０を制御し、信号を送信するように出力インタフェース６２０を制御して上記方法の実施例における操作を完了するように構成される。
【０１３７】
したがって、本出願の実施例のネットワーク装置では、他のネットワーク装置へＱｏＳパラメータを送信することにより、他のネットワーク装置はデータレートに基づき、データを安全に処理するか否かを確定することができ、データ伝送の性能を向上させることに有利である。
【０１３８】
理解すべきものとして、本出願の実施例では、該プロセッサ６３０は中央処理ユニット（ＣＰＵ：Ｃｅｎｔｒａｌ  Ｐｒｏｃｅｓｓｉｎｇ  Ｕｎｉｔ）であってもよく、該プロセッサ６３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１３９】
該メモリ６４０は読み取り専用メモリとランダムアクセスメモリを含み、そしてプロセッサ６３０へ命令とデータを提供することができる。メモリ６４０の一部はさらに不揮発性ランダムアクセスメモリを含むことができる。例えば、メモリ６４０はさらに装置タイプの情報を記憶することができる。
【０１４０】
実施プロセスでは、上記方法の各内容は、プロセッサ６３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０１４１】
一つの具体的な実施形態では、ネットワーク装置４００における送信ユニットは図７における出力インタフェース６２０によって実現されてもよい。ネットワーク装置４００の確定ユニットは図７におけるプロセッサ６３０によって実現されてもよい。ネットワーク装置４００における受信ユニットは図７における出力インタフェース６１０によって実現されてもよい。
【０１４２】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもいよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１４３】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０１４４】
本出願が提供する、いくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１４５】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０１４６】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０１４７】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１４８】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲内に含まれるべきである。従って、本出願の保護範囲は請求項の保護範囲に準拠するべきである。
【図１】
2021503743.tif 000003
【図２】
2021503743.tif 000004
【図３】
2021503743.tif 000005
【図４】
2021503743.tif 000006
【図５】
2021503743.tif 000007
【図６】
2021503743.tif 000008
【図７】
2021503743.tif 000009
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
データ処理方法であって、
第一のネットワーク装置が、データレートを確定することと、
前記第一のネットワーク装置が、前記データレートに基づき、処理待ちデータを安全に処理するか否かを確定することとを含む、前記データ処理方法。
【請求項２】
前記データレートは、少なくとも一つのサービス品質（ＱｏＳ）における第一のＱｏＳフローのデータレート、少なくとも一つのベアラにおける第一のベアラのデータレート、少なくとも一つのプロトコルデータユニット（ＰＤＵ）セッションにおける第一のＰＤＵセッションのデータレート及び少なくとも一つの端末装置における第一の端末装置のデータレートのうちの少なくとも一つを含むことを特徴とする
請求項１に記載の方法。
【請求項３】
前記第一のネットワーク装置がデータレートを確定することは、
前記第一のネットワーク装置が、第二のネットワーク装置から提供されたＱｏＳパラメータに基づき、前記データレートを確定することを含むことを特徴とする
請求項１又は２に記載の方法。
【請求項４】
前記ＱｏＳパラメータのタイプは最大ビットレート（ＭＢＲ）、最大フロービットレート（ＭＦＢＲ）と保証フロービットレート（ＧＦＢＲ）を含むことを特徴とする
請求項３に記載の方法。
【請求項５】
前記第一のネットワーク装置は第一のアクセスネットワーク装置であり、前記第二のネットワーク装置は第二のアクセスネットワーク装置又はコアネットワーク装置であることを特徴とする
請求項３又は４に記載の方法。
【請求項６】
前記方法はさらに、
前記第一のネットワーク装置が、端末装置から送信された前記データレートを受信することを含むことを特徴とする
請求項１又は２に記載の方法。
【請求項７】
前記方法はさらに、
前記第一のネットワーク装置が前記処理待ちデータを安全に処理することを確定した場合、前記第一のネットワーク装置が、前記処理待ちデータに対して完全性保護処理及び／又は暗号化処理を行うことを含むことを特徴とする
請求項１−６のいずれか一項に記載の方法。
【請求項８】
ネットワーク装置であって、前記ネットワーク装置は第一のネットワーク装置であり、前記ネットワーク装置は、
データレートを確定するように構成される第一の確定ユニットと、
前記データレートに基づき、処理待ちデータを安全に処理するか否かを確定するように構成される第二の確定ユニットとを備える、前記ネットワーク装置。
【請求項９】
前記データレートは、少なくとも一つのサービス品質（ＱｏＳ）における第一のＱｏＳフローのデータレート、少なくとも一つのベアラにおける第一のベアラのデータレート、少なくとも一つのプロトコルデータユニット（ＰＤＵ）セッションにおける第一のＰＤＵセッションのデータレート及び少なくとも一つの端末装置における第一の端末装置のデータレートのうちの少なくとも一つを含むことを特徴とする
請求項８に記載のネットワーク装置。
【請求項１０】
前記第一の確定ユニットは具体的に、
第二のネットワーク装置から提供されたＱｏＳパラメータに基づき、前記データレートを確定するように構成されることを特徴とする
請求項８又は９に記載のネットワーク装置。
【請求項１１】
前記ＱｏＳパラメータのタイプは最大ビットレート（ＭＢＲ）、最大フロービットレート（ＭＦＢＲ）と保証フロービットレート（ＧＦＢＲ）を含むことを特徴とする
請求項１０に記載のネットワーク装置。
【請求項１２】
前記第一のネットワーク装置は第一のアクセスネットワーク装置であり、前記第二のネットワーク装置は第二のアクセスネットワーク装置又はコアネットワーク装置であることを特徴とする
請求項１０又は１１に記載のネットワーク装置。
【請求項１３】
前記ネットワーク装置はさらに、
端末装置から送信された前記データレートを受信するように構成される受信ユニットを備えることを特徴とする
請求項８又は９に記載のネットワーク装置。
【請求項１４】
前記ネットワーク装置はさらに、
前記第一のネットワーク装置が前記処理待ちデータを安全に処理することを確定した場合、前記処理待ちデータに対して完全性保護処理及び／又は暗号化処理を行うように構成される処理ユニットを備えることを特徴とする
請求項８−１３のいずれか一項に記載のいネットワーク装置。
【請求項１５】
ネットワーク装置であって、前記ネットワーク装置は第二のネットワーク装置であり、前記ネットワーク装置は、
第一のネットワーク装置へサービス品質（ＱｏＳ）パラメータを送信するように構成され、前記ＱｏＳパラメータが、前記第一のネットワーク装置が処理待ちデータを安全に処理するか否かを確定することに用いられる送信ユニットを備える、前記ネットワーク装置。
【国際調査報告】
2021503743.tif 000010
2021503743.tif 000011
2021503743.tif 000012
2021503743.tif 000013